【事件の表示】
　特願２０１６−４２５７５号「遊技機」拒絶査定不服審判事件〔平成２８年７月１１日出願公開、特開２０１６−１２３８７７号〕について、次のとおり審決する。
【結　論】
　本件審判の請求は、成り立たない。
【理　由】
１　手続の経緯の概要
　本願は、平成２６年１２月２５日に出願した特願２０１４−２６３１６２号の一部を平成２８年３月４日に新たな特許出願（特願２０１６−４２５７５号）としたものであって、平成３０年９月１９日付けで特許法第５０条の２の通知を伴う拒絶の理由が通知され、同年１１月２２日に意見書及び手続補正書が提出されたところ、平成３１年３月１日付け（送達日：同年同月１２日）で、平成３０年１１月２２日付け手続補正が却下されるとともに拒絶査定（以下「原査定」という。）がなされ、それに対して、令和１年６月１１日に拒絶査定不服審判の請求がなされると同時に手続補正がなされ、これに対し、当審において、同年１２月２７日付けで拒絶の理由が通知され、令和２年３月４日に意見書及び手続補正書が提出され、さらに、これに対し、当審において、同年５月１２日付けで最後の拒絶の理由が通知され、同年７月１７日に意見書が提出されたものである。
　　
２　本願発明
　本願の請求項１に係る発明（以下「本願発明」という。）は、令和２年３月４日に提出された手続補正書で補正された特許請求の範囲の請求項１に記載された事項により特定される次のとおりのものである（記号Ａ〜Ｆは、分説するため当審判合議体にて付した。）。
「Ａ　始動条件の成立により取得された遊技情報に基づいて、特別遊技を行うか否かの特別遊技判定を実行する判定手段と、
　Ｂ　所定の演出抽選結果に基づいて、演出を制御する演出制御手段とを備え、
　Ｃ　前記演出は、
　　Ｃ１　前記特別遊技が行われる可能性があることを示唆するリーチ演出と、
　　Ｃ２　前記リーチ演出と異なり、前記特別遊技が行われる可能性が高いことを示唆する特定演出と、
　　Ｃ３　前記特定演出が実行されることを期待させる演出であって、前記特定演出を構成する演出内容の一部を用いた部分特定演出と、を有し、
　　Ｃ４　同一の前記部分特定演出が複数回実行された後に前記特定演出が実行される第１演出態様と、
　　Ｃ５　前記部分特定演出が実行されずに前記特定演出が実行される第２演出態様と、
　　Ｃ６　前記部分特定演出を実行した後に前記特定演出が実行されない第３演出態様と、を有し、
　Ｄ１　前記第１演出態様における前記部分特定演出は、前記リーチ演出中に実行可能であり、
　Ｄ２　前記第１演出態様において実行される前記特定演出と、前記第２演出態様において実行される前記特定演出と、は同一態様の演出であり、
　Ｅ　前記第１演出態様および前記第２演出態様により演出が実行された場合は、前記第３演出態様により演出が実行された場合よりも前記特別遊技が実行されやすい、
　Ｆ　遊技機。」
　　　
３　拒絶の理由
　当審による令和２年５月１２日付けの拒絶の理由の概要は、次のとおりである。
１（進歩性）
　本願発明は、その出願前に日本国内において、頒布された下記の引用文献１に基いて、その出願前にその発明の属する技術の分野における通常の知識を有する者が容易に発明をすることができたものであるから、特許法第２９条第２項の規定により特許を受けることができない。　　
　
　　　　　　　　　　　　　　記
　　１：特開２００９−２５４５２４号公報
　
４　引用発明、引用文献１に記載された技術事項
　当審による令和２年５月１２日付けの拒絶理由において提示された、本願の出願前に頒布された刊行物である特開２００９−２５４５２４号公報（以下「引用文献１」という。）には、図面と共に次の事項が記載されている（下線は当審判合議体にて付与した。以下同じ。）。
（１）記載事項　
　　ア「【発明の詳細な説明】
【技術分野】
【０００１】
　本発明は、
パチンコ遊技機
・・・
【発明が解決しようとする課題】
【０００７】本発明は、かかる実情に鑑み考え出されたものであり、その目的は、再変動表示に関する演出の面白みを向上させ、遊技の興趣を向上させることができる遊技機を提供することである。」
　
　　イ「【００５９】
　図２は、
主基板（遊技制御基板）３１
主基板３１には、
遊技制御用マイクロコンピュータ
５６０が搭載されている。遊技制御用マイクロコンピュータ５６０は、
ＣＰＵ５６
を含む。
　
　　ウ「【００６８】
　この実施の形態では、演出制御基板８０に搭載されている
演出制御手段（
演出制御用マイクロコンピュータ１００）が、
遊技制御用マイクロコンピュータ５６０から演出内容を指示する演出制御コマンドを受信し、
演出図柄を変動表示する演出表示装置９の表示制御
を行なう。
演出制御手段は、操作ボタン３０からの操作検出信号
に応じて、
予告演出等の各種演出を行なう。
　
　　エ「【０１６５】
　図２３、図２４（Ａ）および（Ｂ）は、ＲＯＭ５４に記憶されている当り変動パターン判定テーブル１３７Ａ〜１３７Ｃを示す説明図である。当り変動パターン判定テーブル１３７Ａ〜１３７Ｃは、変動表示結果を「大当り」または「小当り」にする旨の判定がなされたときに、大当り種別や変動パターン種別の決定結果等に応じて、
変動パターン判定用の乱数（
）
・・・
【０１９５】
　また、この実施の形態では、
遊技制御用マイクロコンピュータ５６０は、
当り変動パターン判定テーブル１３７Ａ，１３７Ｂ，１３７Ｃ、または、はずれ変動パターン判定テーブル１３８Ａ，１３８Ｂとランダム４とを用いて変動パターンを決定した
　
　　オ「【０２３１】
　
始動口スイッチ通過処理において、
ランダムＲ（大当り判定用乱数）
保存領域に格納される。
・・・
【０２４７】
　次いで、
ＣＰＵ５６は、
ランダムＲ（大当り判定用乱数）を読出し
大当り判定の処理を実行する
　
　　カ「【０３２５】
　このように、パチンコ遊技機１においては、ステップアップ予告に関し、第１ステップアップ予告および第２ステップアップ予告というような複数系統のステップアップ予告演出が設けられており、その複数系統のステップアップ予告演出のうちから実行するステップアップ予告演出が選択されることとなる。
・・・
【０３７７】
　図６２は、図柄変動制御パターンテーブルを示す説明図である。演出制御用マイクロコンピュータ１００におけるＲＯＭに記憶されている制御パターンテーブルには、たとえば、図６２に示す図柄変動制御パターンテーブル１８０が含まれている。図６２に示す図柄変動制御パターンテーブル１８０には、演出図柄の変動が開始されてから最終停止図柄となる確定演出図柄が停止表示されるまでの期間における、演出表示装置９の表示領域における演出図柄の変動表示動作、
リーチ演出
各種の演出
　
　　キ「【０３９３】
　図６５は、
予告演出の一例としての第１ステップアップ予告
が実行された
図６５では、（Ａ）〜（Ｅ）に、擬似連の変動表示中に第１ステップアップ予告
が実行されたときの表示状態が時間経過にしたがって示されている。
　
【図６５】：予告演出の一例としての第１ステップアップ予告および第２ステップアップ予告が実行されたときの演出表示装置における表示動作例を示す説明図である。
　
　
【０３９４】
　まず、第１ステップアップ予告について説明する。図６５を参照して、（Ａ），（Ｂ）に示すように、特別図柄の変動表示における特別図柄の変動開始等に対応して、「左」、「中」、「右」の図柄表示エリア９Ｌ、９Ｃ、９Ｒの全部で演出図柄の変動が開始される。第１ステップアップ予告を実行することが決定されたときには、その後、図６５（Ｂ）〜（Ｄ）に示すように、
いずれの図柄表示エリアでも演出図柄が停止されていない変動中の状態において、複数段階のステップにより構成される第１ステップアップ予告が実行される。
【０３９５】
　具体的に、
第１ステップアップ予告においては、大当りとなることを示す予告
【０３９６】
　
第１ステップアップ予告は、原則的に、第１の色（たとえば、黒色）が付された第１のキャラクタ画像９１Ｔが表示されるステップ１、第２の色（たとえば緑色）が付された第２のキャラクタ画像９２Ｔが表示されるステップ２、および、第３の色（たとえば、赤色）が付された第３のキャラクタ画像９３Ｔが表示されるステップ３の順序にしたがって複数段階でステップアップする態様で表示される。
【０３９７】
　
第１ステップアップ予告を構成するステップ１〜ステップ３については、ステップ１＜ステップ２＜ステップ３の順序で、表示されたときにその後に大当りとなる割合が高くなるように大当りとなる信頼度が設定されている。
【０３９８】
　
これらステップ１〜ステップ３は、同じステップが複数回続いて選択される場合もあり、順序を飛ばして選択される場合もある。ただし、大当りとなる信頼度が順序が逆になる態様で選択されないように
禁則処理が行なわれる。
【０３９９】
　
図６５においては、
原則的な順序で３つのキャラクタ画像が表示されていく
第１ステップアップ予告の表示例が示されている。
第１ステップアップ予告における第１のステップであるステップ１では、第１のキャラクタ画像９１Ｔが表示される
。
第１ステップアップ予告における第２のステップであるステップ２では、
第２のキャラクタ画像９２Ｔが表示される
。
第１ステップアップ予告における第３のステップであるステップ３では、
第３のキャラクタ画像９３Ｔが表示される
。
・・・
【０４０３】
　そして、
予告演出後に大当りとなるときには、（Ｅ）に示すように、最後の変動表示が行なわれるときに、その一連の変動表示において表示されたすべてのキャラクタ画像が表示される
。なお、第１ステップアップ予告については、予告ステップとして、（Ｅ）のような表示を行なう第４のステップ（ステップ４）を設けてもよい。
・・・
【０４５２】
　なお、この実施の形態では、リーチ状態となった後に行なう第５予告演出として、操作ボタン３０が操作されたことに応じて実行する予告演出を説明した。しかし、これに限らず、リーチ状態となった後に行なう第５予告演出としては、操作ボタン３０の操作に関わらず実行される予告演出を用いてもよい。また、
リーチ状態となった後に行なう第５予告演出
第５予告演出としては、ステップアップ予告
を行なうようにしてもよい。
　
　　ク「【０８１８】
　次に、Ｓ５３４に進んだ場合は、Ｓ５３３の決定において、第１予告演出なしと決定されたか否かを判別する（Ｓ５３４）。Ｓ５３３で第１予告演出なしと決定された場合には（Ｓ５３４でＹ）、後述するＳ５４３に進む。一方、Ｓ５３３で、
予告パターン種別が
第１ステップアップ予告
に決定された場合には
、
変動パターンに基づいて特定される表示結果の情報（大当り、リーチはずれ、非リーチはずれ）
に応じて、予告選択テーブルとして、図７１の（Ａ）〜（Ｆ）に示す予告選択テーブルのいずれかを選択決定してセットする（Ｓ５３５）。
　
（２）認定事項
　　ケ　引用文献１には、
【０３９３】に「図６５では、（Ａ）〜（Ｅ）に、擬似連の変動表示中に第１ステップアップ予告・・・が実行されたときの表示状態が時間経過にしたがって示されている。」と記載され、
【０３９９】に「図６５においては、・・・原則的な順序で３つのキャラクタ画像が表示されていく・・・第１ステップアップ予告の表示例が示されている。」と記載され、
【０４０３】に「予告演出後に大当りとなるときには、（Ｅ）に示すように、最後の変動表示が行なわれるときに、その一連の変動表示において表示されたすべてのキャラクタ画像が表示される・・・。なお、第１ステップアップ予告については、予告ステップとして、（Ｅ）のような表示を行なう第４のステップ（ステップ４）を設けてもよい。」と記載されている。
　そして、【図６５】に第１ステップアップ予告として、（Ｂ）〜（Ｄ）の各ステップ１〜３の変動表示において表示されたすべてのキャラクタ画像を（Ｅ）のステップ４として表示されることが、図示されている。
　したがって、引用文献１には、「第１ステップアップ予告が、ステップ１〜４から構成されること」（認定事項ケ−１）が記載されているものと認める。
　
　また、上記【０４０３】のなお書きによると、引用文献１には、予告演出後に大当りとなる場合に、「最後の変動表示が行なわれるときに」「表示される」「その一連の変動表示において表示されたすべてのキャラクタ画像」を、「ステップ４」として表示することが記載されている。
　したがって、引用文献１には、「第１ステップアップ予告において、予告演出後に大当りとなる場合には、最後の変動表示が行なわれるときに、ステップ４として、各ステップ１〜３の変動表示において表示されたすべてのキャラクタ画像が表示され、告演出後に大当りとならない場合には、ステップ４は表示されない」こと（認定事項ケ−２）が記載されているものと認められる。
　
（３）引用発明
　引用文献１の上記（１）の記載事項、上記（２）の認定事項、及び、図面の図示内容を総合すると、引用文献１には、次の発明（以下「引用発明」という。）が記載されていると認められる（ａ〜ｆは、本願発明のＡ〜Ｆに対応させて当審判合議体にて付与した。）。
「ａ　始動口スイッチ通過処理において保存領域に格納されたランダムＲ（大当り判定用乱数）を読出して、大当り判定の処理を実行するＣＰＵ５６を含む、主基板（遊技制御基板）３１に搭載されている遊技制御用マイクロコンピュータ５６０（【００５９】、【０２３１】、【０２４７】）と、
　ｂ　遊技制御用マイクロコンピュータ５６０から、当り変動パターン判定テーブル１３７Ａ，１３７Ｂ，１３７Ｃ、または、はずれ変動パターン判定テーブル１３８Ａ，１３８Ｂとランダム４（変動パターン判定用の乱数）とを用いて決定された変動パターンを指示する演出制御コマンドを受信し、演出図柄を変動表示する演出表示装置９の表示制御を行なうとともに、操作ボタン３０からの操作検出信号に応じて、予告演出等の各種演出を行なう演出制御用マイクロコンピュータ１００（【００６８】、【０１９５】）と、を有し、
　ｃ　上記各種演出には、
　　ｃ１　リーチ演出（【０３７７】）が含まれるとともに、
　　ｃ２、ｃ３、ｃ４、ｃ６、ｄ２、ｅ　第１予告演出として、いずれの図柄表示エリアでも演出図柄が停止されていない擬似連の変動中の状態において、複数段階のステップにより構成され、大当りとなることを示す第１ステップアップ予告が含まれ（【０３２５】、【０３９３】〜【０３９５】）、
　第１ステップアップ予告は、ステップ１〜４から構成され、
　第１ステップアップ予告は、原則的な順序で３つのキャラクタ画像が表示されていく場合、第１の色（黒色）が付された人型の第１のキャラクタ画像９１Ｔが表示されるステップ１、第２の色（緑色）が付された人型の第２のキャラクタ画像９２Ｔが表示されるステップ２、および、第３の色（赤色）が付された人型の第３のキャラクタ画像９３Ｔが表示されるステップ３の順序にしたがって複数段階でステップアップする態様で表示され（【０３９６】、【０３９９】）、
　第１ステップアップ予告において、予告演出後に大当りとなる場合には、最後の変動表示が行なわれるときに、ステップ４として、各ステップ１〜３の変動表示において表示されたすべてのキャラクタ画像が表示され、予告演出後に大当りとならない場合には、ステップ４は表示されず（認定事項ケ−２）、
　ｄ１　リーチ状態になった後に行なう第５予告演出として、ステップアップ予告演出を行うようにしてもよく（【０４５２】）、
　ステップアップ予告には、第１ステップアップ予告および第２ステップアップ予告というような複数系統のステップアップ予告演出が設けられている（【０３２５】）、
　ｆ　パチンコ遊技機（【０００１】）。」
　
（４）引用文献１に記載された技術事項
　引用文献１の【０３９８】、【０４０２】には、次の技術事項（以下「引用文献１に記載された技術事項」という。）が記載されている。
「第１ステップアップ予告を構成するステップ１〜ステップ３について、同じステップが複数回続いて選択される場合もあり、順序を飛ばして選択される場合もあるが、大当りとなる信頼度が、順序が逆になる態様で選択されないように禁則処理が行なわれること。」（以下「引用文献１に記載された技術事項」という。）。
　
５　対比
　本願発明と引用発明とを、分説に従い対比する。
　（ａ）
　引用発明における構成ａの「始動口スイッチ通過処理において保存領域に格納されたランダムＲ（大当り判定用乱数）を読出して、大当り判定の処理を実行する」ことは、本願発明の「始動条件の成立により取得された遊技情報に基づいて、特別遊技を行うか否かの特別遊技判定を実行する」ことに相当する。
　したがって、引用発明における構成ａの「始動口スイッチ通過処理において保存領域に格納されたランダムＲ（大当り判定用乱数）を読出して、大当り判定の処理を実行するＣＰＵ５６を含む、主基板（遊技制御基板）３１に搭載されている遊技制御用マイクロコンピュータ５６０」は、本願発明における構成Ａの「始動条件の成立により取得された遊技情報に基づいて、特別遊技を行うか否かの特別遊技判定を実行する判定手段」としての機能を有する。
　
　（ｂ）
　引用発明の「当り変動パターン判定テーブル１３７Ａ，１３７Ｂ，１３７Ｃ、または、はずれ変動パターン判定テーブル１３８Ａ，１３８Ｂとランダム４（変動パターン判定用の乱数）とを用いて決定された変動パターン」は、本願発明の「所定の演出抽選結果」に相当する。
　そうすると、引用発明の「遊技制御用マイクロコンピュータ５６０から、当り変動パターン判定テーブル１３７Ａ，１３７Ｂ，１３７Ｃ、または、はずれ変動パターン判定テーブル１３８Ａ，１３８Ｂとランダム４（変動パターン判定用の乱数）とを用いて決定された変動パターンを指示する演出制御コマンドを受信」することは、本願発明の「所定の演出抽選結果に基づ」くことに相当する。
　また、引用発明の「演出図柄を変動表示する演出表示装置９の表示制御を行なうとともに、操作ボタン３０からの操作検出信号に応じて、予告演出等の各種演出を行なう」ことは、本願発明の「演出を制御する」ことに相当する。
　したがって、引用発明における構成ｂの「遊技制御用マイクロコンピュータ５６０から、当り変動パターン判定テーブル１３７Ａ，１３７Ｂ，１３７Ｃ、または、はずれ変動パターン判定テーブル１３８Ａ，１３８Ｂとランダム４（変動パターン判定用の乱数）とを用いて決定された変動パターンを指示する演出制御コマンドを受信し、」「操作ボタン３０からの操作検出信号に応じて、予告演出等の各種演出を行なう演出制御用マイクロコンピュータ１００」は、本願発明における構成Ｂの「所定の演出抽選結果に基づいて、演出を制御する演出制御手段」としての機能を有する。
　
　（ｃ、ｃ１）
　引用発明の「リーチ演出」が、「大当り」（特別遊技）となる可能性を示唆する演出であることは、当業者における技術常識であるから、引用発明における構成ｃ、ｃ１の「上記各種演出には、」「リーチ演出が含まれる」ことは、本願発明における構成Ｃ、Ｃ１の「前記演出は、前記特別遊技が行われる可能性があることを示唆するリーチ演出」「を有」することに相当する。
　
　（ｃ、ｃ２）
　引用発明の構成ｃ２、ｃ３、ｃ４、ｃ６、ｄ２、ｅの「複数段階のステップにより構成され、大当りとなることを示す第１ステップアップ予告」は、本願発明の「リーチ演出と異な」る「演出」に相当する。
　そして、引用発明の構成ｃ２、ｃ３、ｃ４、ｃ６、ｄ２、ｅの「ステップ４」は、「予告演出後に大当りとなる場合」に表示される演出であるから、本願発明の「特別遊技が行われる可能性が高いことを示唆する特定演出」に相当する。
　したがって、引用発明における構成ｃ、ｃ２、ｃ３、ｃ４、ｃ６、ｄ２、ｅの「第１ステップアップ予告において、予告演出後に大当りとなる場合には、最後の変動表示が行なわれるときに、ステップ４として、各ステップ１〜３の変動表示において表示されたすべてのキャラクタ画像が表示され」ることは、本願発明における構成Ｃ、Ｃ２の「演出は、」「リーチ演出と異なり、特別遊技が行われる可能性が高いことを示唆する特定演出」「を有」することに相当する。
　
　（ｃ、ｃ３）
　引用発明のｃ２、ｃ３、ｃ４、ｃ６、ｄ２、ｅの「第１の色（黒色）が付された人型の第１のキャラクタ画像９１Ｔが表示されるステップ１」、「第２の色（緑色）が付された人型の第２のキャラクタ画像９２Ｔが表示されるステップ２」、「第３の色（赤色）が付された人型の第３のキャラクタ画像９３Ｔが表示されるステップ３」の各々は、「ステップ４」において、「ステップ１〜３の各変動表示において表示されたすべてのキャラクタ画像が表示され」ることからみて、ステップ４の演出の一部を用いた演出であり、かつ、ステップ１〜３において、それぞれ、人型のキャラクタ画像９１Ｔ〜９３Ｔが表示されることで、「第１ステップアップ予告」が、予告演出後に大当りとなる場合に表示される、ステップ４までステップアップすることを期待させる演出であるといえる。
　そうすると、引用発明の構成ｃ２、ｃ３、ｃ４、ｃ６、ｄ２、ｅの「第１の色（黒色）が付された人型の第１のキャラクタ画像９１Ｔが表示されるステップ１」、「第２の色（緑色）が付された人型の第２のキャラクタ画像９２Ｔが表示されるステップ２」、「第３の色（赤色）が付された人型の第３のキャラクタ画像９３Ｔが表示されるステップ３」の各々は、本願発明の「特定演出が実行されることを期待させる演出であって、特定演出を構成する演出内容の一部を用いた部分特定演出」に相当する。
　したがって、引用発明における構成ｃ、ｃ２、ｃ３、ｃ４、ｃ６、ｄ２、ｅの「各種演出には、」「第１の色（黒色）が付された人型の第１のキャラクタ画像９１Ｔが表示されるステップ１」、「第２の色（緑色）が付された人型の第２のキャラクタ画像９２Ｔが表示されるステップ２」、「第３の色（赤色）が付された人型の第３のキャラクタ画像９３Ｔが表示されるステップ３」の各々を「表示」することは、本願発明における構成Ｃ、Ｃ３の「演出は、」「特定演出が実行されることを期待させる演出であって、特定演出を構成する演出内容の一部を用いた部分特定演出」「を有」することに相当する。
　
　（ｃ、ｃ４）
　上記（ｃ、ｃ３）より、引用発明の「ステップ１」、「ステップ２」、「ステップ３」のそれぞれは、本願発明の「部分特定演出」に相当する。
　そして、引用発明において、「ステップ１」、「ステップ２」、「ステップ３」でそれぞれ表示される「第１の色（黒色）が付された人型の第１のキャラクタ画像９１Ｔ」、「第２の色（緑色）が付された人型の第２のキャラクタ画像９２Ｔ」、「第３の色（赤色）が付された人型の第３のキャラクタ画像９３Ｔ」は、「人型」という「同一形状のキャラクタ画像」を用いたものである。
　そうすると、引用発明における「ステップ１」、「ステップ２」、「ステップ３の順序にしたがって複数段階でステップアップ」した後、「ステップ４が表示される」「第１ステップアップ予告」と、本願発明の「同一の部分特定演出が複数回実行された後に特定演出が実行される第１演出態様」を有する「演出」とは、「共通する部分を有する部分特定演出が複数回実行された後に特定演出が実行される第１演出態様」を有する「演出」である点で共通する。
　
　（ｃ、ｃ６）
引用発明の構成ｃ２、ｃ３、ｃ４、ｃ６、ｄ２、ｅの「原則的な順序で３つのキャラクタ画像が表示されていく場合、第１の色（黒色）が付された人型の第１のキャラクタ画像９１Ｔが表示されるステップ１、第２の色（緑色）が付された人型の第２のキャラクタ画像９２Ｔが表示されるステップ２、および、第３の色（赤色）が付された人型の第３のキャラクタ画像９３Ｔが表示されるステップ３の順序にしたがって複数段階でステップアップする態様で表示され」る「第１ステップアップ予告」は、「予告演出後に大当りとならない場合」、ステップ１、ステップ２、ステップ３を順番に表示した後、「ステップ４は表示され」ない予告演出であるから、本願発明の構成Ｃ６の「部分特定演出を実行した後に特定演出が実行されない第３演出態様」に相当する。
　
　（ｄ１）
　引用発明は、「リーチ状態になった後に行なう第５予告演出として、ステップアップ予告演出を行うようにしてもよ」いものであるが、ここでいう「ステップアップ予告演出」には、「ステップアップ予告には、第１ステップアップ予告および第２ステップアップ予告というような複数系統のステップアップ予告演出が設けられて」いることからみて、「第１ステップアップ予告」が、その１つの系統として含まれるものである。
　
　そして、上記（ｃ、ｃ３）によれば、引用発明の「第１ステップアップ予告」で「表示」される「ステップ１」、「ステップ２」、「ステップ３」の各々は、本願発明の「部分特定演出」に相当する。
　したがって、引用発明の構成ｄ１の「リーチ状態になった後に行なう第５予告演出として、ステップアップ予告演出を行うようにしてもよ」いことは、複数系統ある「ステップアップ予告演出」の１系統である「第１ステップアップ予告」について、「ステップ１」、「ステップ２」、「ステップ３」の各々を、「リーチ状態になった後」、すなわち、リーチ状態中に行うことであるから、本願発明の構成Ｄ１の「第１演出態様における部分特定演出は、リーチ演出中に実行可能であ」ることに相当する。
　
　（ｆ）
　引用発明の構成ｆの「パチンコ遊技機」は、本願発明の構成Ｆの「遊技機」に相当する。
　　　　　　　　　
　上記本願発明と引用発明との対比から、本願発明と引用発明とは、
「Ａ　始動条件の成立により取得された遊技情報に基づいて、特別遊技を行うか否かの特別遊技判定を実行する判定手段と、
　Ｂ　所定の演出抽選結果に基づいて、演出を制御する演出制御手段とを備え、
　Ｃ　前記演出は、
　　Ｃ１　前記特別遊技が行われる可能性があることを示唆するリーチ演出と、
　　Ｃ２　前記リーチ演出と異なり、前記特別遊技が行われる可能性が高いことを示唆する特定演出と、
　　Ｃ３　前記特定演出が実行されることを期待させる演出であって、前記特定演出を構成する演出内容の一部を用いた部分特定演出と、を有し、
　　Ｃ４′共通する部分を有する部分特定演出が複数回実行された後に特定演出が実行される第１演出態様と、
　　Ｃ６　前記部分特定演出を実行した後に前記特定演出が実行されない第３演出態様と、を有し、
　Ｄ１　前記第１演出態様における前記部分特定演出は、前記リーチ演出中に実行可能である、
　Ｆ　遊技機。」である点で一致し、次の点で相違する。
　
［相違点１］（構成Ｃ、Ｃ４）
　第１演出態様において複数回実行される部分特定演出に関して、本願発明は、複数回の部分特定演出が「同一」であるのに対して、引用発明は、ステップ１〜３のキャラクタ画像の形状は同一であるが、キャラクタ画像の色は異なる点。
　
［相違点２］（構成Ｃ、Ｃ５）
　演出に関して、本願発明は、部分特定演出が実行されずに特定演出が実行される第２演出態様を有するのに対して、引用発明は、ステップ１〜４を順次実行する点。
　
［相違点３］（構成Ｄ２）　
　本願発明は、「第１演出態様において実行される特定演出と、第２演出態様において実行される特定演出と、は同一態様の演出であ」るが、引用発明は、ステップ４として、ステップ１〜３の各変動表示において表示されたすべてのキャラクタ画像が表示されるが、本願発明の第２演出態様を有しない点。
　
［相違点４］（構成Ｅ）
　本願発明は、「第１演出態様および第２演出態様により演出が実行された場合は、第３演出態様により演出が実行された場合よりも特別遊技が実行されやすい」が、引用発明は、「予告演出後に大当りとなる場合には、最後の変動表示が行なわれるときに、ステップ４」「が表示される」が、本願発明の第２演出態様を有しない点。
　
６　当審の判断
　上記相違点について検討する。
（１）相違点１（構成Ｃ、Ｃ４）
　引用文献１に記載された技術事項は、「第１ステップアップ予告のステップ１〜３は、同じステップが複数回続いて選択される場合もあ」ることから、引用文献１に記載された技術事項の「第１ステップアップ予告」には、ステップ１が３回選択表示される場合、ステップ２が３回選択表示される場合、ステップ３が３回選択表示される場合を含むものである。
　そして、引用発明の「第１ステップアップ予告」は、構成ｃ２、ｃ３、ｃ４、ｃ６、ｄ２、ｅによれば、「予告演出後に大当りとなる場合」に、ステップ１〜３を順に表示させた後、「ステップ４」の「表示」を行うものである。
　そうすると、引用発明の「ステップ４」を表示する「第１ステップアップ予告」に、引用文献１に記載された技術事項を適用して、ステップ１〜３のうちのいずれか１つのステップを３回表示した後に、ステップ４を表示することが可能である。
　したがって、引用発明に上記引用文献１に記載された技術事項を適用して、ステップ１〜３のうち、いずれか１つのステップを複数回表示した後に、ステップ４を表示することで、形状も色も同一のキャラクタ画像を表示させ、上記相違点１に係る本願発明の構成とすることは、当業者が容易になし得たものである。
　
（２）相違点２（構成Ｃ、Ｃ５）について
　遊技機の技術分野において、最終ステップが表示されることで大当り確定報知を行うステップアップ予告において、最終ステップのみを単独で表示させることは、本願のもとの出願の出願前において、遡及日前に周知の技術事項である（例えば、特開２０１４−２３８５１号公報の【００８６】、【０１６８】、【図６】には、ステップアップ演出の演出パターン２１では、ＳＵ１〜ＳＵ４が飛ばされて、突然、ＳＵ５のＳＵ演出が実行されること、および、ＳＵ５が実行されることによって大当りを確定するように構成してもよいことが記載され、特開２０１０−１１９７０６号公報の【００６１】、【００６４】〜【００６５】、【０１７９】、【図５】、【図１８】、【図２０】（ｃ）には、ステップアップ予告の特殊段階予告では、１段階目から４段階目のステップを省略し、いきなり５段階目のステップの予告画像ＧＳＵ５を画像表示すること、および、ステップＳＵ５の演出内容として、ＳＳＵ５ｂｙ、ＳＳＵ５ｃｙを選択した場合は、大当り確定となるように乱数値が割り振られていることが記載されている。）。
　
　そして、引用発明と上記周知の技術事項とは、最終ステップが大当り確定であるステップアップ予告演出に関し、ステップアップ予告演出に関し、ステップアップ予告の途中のステップを省略して、最終ステップのみの表示を可能とする点で共通する。
　したがって、引用発明の大当り確定報知としてのステップ４を最終ステップとして表示する「第１ステップアップ予告」に上記周知の技術事項を適用して、ステップ４を、ステップ１〜３のステップを部分的に飛ばした後に表示するのでなく、ステップ１〜３のステップを全部飛ばして、ステップ４のみを単独で表示可能とし、上記相違点２に係る本願発明の構成とすることは、当業者が容易になし得たものである。
　
（３）相違点３〜４（構成Ｄ２〜Ｅ）について
　上記（１）〜（２）において検討したように、引用発明の「第１ステップアップ予告」において、引用文献１に記載された技術事項に基づいて、ステップ１〜３のうち、いずれか１つのステップを複数回表示した後に、ステップ４を表示する「第１演出態様」の演出を実行することは、当業者が容易になし得たものである。また、引用発明の「第１ステップアップ予告」において、引用文献１に記載された技術事項、および、上記周知の技術事項に基づいて、ステップ１〜３のステップを全部飛ばして、ステップ４のみを単独で表示可能とする「第２演出態様」の演出を実行することは、当業者が容易になし得たものである。
　そして、この場合、「第１演出態様」において実行されるステップ４と、「第２演出態様」において実行されるステップ４とは、同じ態様の演出であり、また、引用発明において実行される「第１演出態様」の演出、および、「第２演出態様」の演出では、「予告演出後に大当りとなる場合に」「ステップ４の表示が行われ」ることから、ステップ４の表示が行われる「第１ステップアップ予告」は、「ステップ４の表示が行われ」ず、ステップ１で終了する演出態様や、ステップ２で終了する演出態様や、ステップ３で終了する演出態様（本願発明の「第３演出態様」に相当する。）よりも「大当りとなる信頼度」の高い演出であると認められる。
　したがって、上記相違点１〜２と同様、引用発明、引用文献１に記載された技術事項、および、上記周知の技術事項に基づいて、上記相違点３〜４に係る本願発明の構成とすることは、当業者が容易になし得たものである。
　
（４）請求人の主張について
　令和２年７月１７日付け意見書において、請求人は次の主張をする。
　　ア　「
しかしながら、「ア　相違点１（構成Ｃ、Ｃ４）」において第１ステップアップ予告がステップ４を含む構成で考えるのであれば、引用例１の段落［０３９８］の記載「これらステップ１〜ステップ３は、同じステップが複数回続いて選択される場合もあり・・・」についても、「ステップ１〜ステップ４」に拡張して解釈する必要があります。
　そして、「ア　相違点１（構成Ｃ、Ｃ４）」において
「ステップ１〜ステップ４」に拡張して解釈した場合、引用例１の段落［０３９８］の記載は「これらステップ１〜ステップ４は、同じステップが複数回続いて選択される場合もあり・・・」に拡張解釈されることになります。
　ここで、第１ステップアップ予告においてステップ４の表示が行われた場合は予告演出後に大当たりとなる（段落［０４０３］）ので、
上記のように拡張解釈すると、上記の「ア　相違点１（構成Ｃ、Ｃ４）」において、大当たりを確定的に報知する同一の予告ステップであるステップ４が第１ステップアップ予告において複数回実行される場合がある構成となってしまいます。
　
しかしながら、ステップアップ予告において、大当たりを確定的に報知する全く同一の予告ステップ（ステップ４）を複数回実行することは、通常は有り得ません。
　
　　イ　「ここで、「（４）判断」の「ア　相違点１（構成Ｃ、Ｃ４）」で認定されているように、『ステップアップ予告演出は、ステップ１〜ステップ４の順に順番に
演出を進展させる
　つまり、
第１ステップアップ予告は「ステップ（つまり「演出」）を進展させる」予告演出です。
　このことは、引用例１において、例えば段落［０３９４］に「第１ステップアップ予告を実行することが決定されたときには、・・・
複数段階のステップにより構成される
引用例１は、第１ステップアップ予告において、（複数のステップ（演出）を実行して演出を進展させるのではなく）ステップ４のみを実行する構成までも想定したものではありません。
　以上のことから、「イ　相違点２（構成Ｃ、Ｃ５）」における、第１ステップアップ予告においてステップ４のみを実行する構成は、当業者が決して容易になし得たものではありません。
　更に言えば、第１ステップアップ予告において、大当たりを確定的に報知する最終の予告ステップ（ステップ４）のみを実行する構成は、通常は有り得ません。」（３．本願発明と引用例との対比　＜本拒絶理由通知書の「（４）判断」の「イ　相違点２（構成Ｃ、Ｃ５）」について＞）
　
　そこで、請求人の上記主張について検討する。
　ウ　請求人の上記主張アについて
　引用発明の「第１ステップアップ予告」は、構成ｃ２、ｃ３、ｃ４、ｃ６、ｄ２、ｅによれば、「予告演出後に大当りとなる場合」に、ステップ１〜３の各ステップを順に表示させた後、「ステップ４」の「表示」を行うものである。
　一方、引用文献１に記載された技術事項は、「第１ステップアップ予告を構成するステップ１〜ステップ３について、同じステップが複数回続いて選択される場合もあ」るというものであって、ステップ１〜３については、同じステップが複数回繰り返されることを許容するものの、ステップ４については、ステップ４が繰り返されることを特定するものではない。
　したがって、引用発明に引用文献１に記載された技術事項を適用してみても、ステップ１〜３のいずれか１つのステップを複数回繰り返すものとなっても、請求人の主張するようにステップ４の表示を複数回繰り返すものとはならない。
　
　エ　請求人の上記主張イについて
　上記「（２）相違点２（構成Ｃ、Ｃ５）について」で検討したように、遊技機の技術分野において、最終ステップが表示されることで大当り確定報知を行うステップアップ予告において、最終ステップのみを単独で表示させることは、本願のもとの出願の出願前において周知の技術事項であるから、引用発明の「予告演出後に大当りとなる場合」に、表示される最終ステップがステップ４である「第１ステップアップ予告」に上記周知の技術事項を適用して、大当り確定報知としてのステップ４を、ステップ１〜３のステップを全部飛ばして単独で表示可能とすることは、当業者が容易になし得たものである。
　
　オ　小括
　上記ウ〜エの検討内容からみて、請求人の上記主張を採用することはできない。
　
（５）本願発明が奏する効果について
　本願発明により奏される効果について、請求人は、令和２年３月４日付け意見書において、次の主張をする。
　　ア　「構成Ｃ２、Ｃ３により、部分特定演出を実行することによって、特別遊技が行われる可能性が高いことを示唆する特定演出が行われることを期待させることができるので、遊技の興趣性を高めることができます。（「効果１」という。）」
　　イ　「構成Ｃ４およびＧ（審決における構成Ｄ１）により、リーチ演出開始前に部分特定演出が１回も実行されていない場合においても、リーチ演出開始後に特定演出の実行を期待させる部分特定演出が実行される可能性があるので、リーチ演出開始後において特定演出が行われることの期待感を否定することがなく、遊技の興趣性の低下を効果的に防止することができます（「効果２」という。）。
　
　そこで、上記効果１、２を引用発明が奏するか否かについて検討する。
　引用発明は、前記「５　対比」（ｃ２）、（ｃ３）において検討したように、本願発明の構成Ｃ２、Ｃ３に相当する構成として、構成ｃ２、ｃ３、ｃ４、ｃ６、ｄ２、ｅの「ステップ４として、ステップ１〜３の各変動表示において表示されたすべてのキャラクタ画像が表示され」る構成を備えるものである。
　そして、引用発明が、「ステップ４として、各ステップ１〜３の各変動表示において表示されたすべてのキャラクタ画像が表示」される構成を備えることにより、遊技者は、ステップ１〜３のいずれかのステップが表示された際に、ステップ４が表示されることを期待して遊技を行うことができ、遊技の興趣を向上させるという、本願発明が奏する効果１と同様の効果を奏するものである。
　
　また、引用発明は、前記「５　対比」（ｄ１）において検討したように、本願発明の構成Ｄ１に相当する構成ｄ１として、「リーチ状態になった後に」、「第１ステップアップ予告演出」「を行うようにしてもよい」構成を備えるものである。
　そして、引用発明は、「第１ステップアップ予告」について、ステップ１〜３の各々を、「リーチ状態になった後」、すなわち、リーチ状態中に行うものであるから、ステップ１〜３を表示した後に行われるステップ４の表示も、リーチ状態中に行われるものである。
　したがって、遊技者は、リーチ状態前にステップ１〜３のいずれのステップが表示されなくても、リーチ状態後に、ステップ１〜３のいずれのステップが表示され、さらに、その後、ステップ４が表示されることを期待して遊技を行うことができ、遊技の興趣を向上させるという、本願発明が奏する効果２と同様の効果を奏するものである。
　よって、本願発明が奏すると請求人が主張する効果１、２は、引用文献１に記載された技術事項から当業者が予測し得る効果の範囲内のものであって、格別なものではない。
　
　（６）まとめ
　上記（１）〜（５）より、本願発明は、引用発明、および、引用文献１に記載された技術事項に基づいて当業者が容易に発明をすることができたものである。
　
７　むすび
　以上のとおりであるから、本願発明は、特許法第２９条第２項の規定により特許を受けることができない。
　したがって、本願は拒絶すべきである。
　
　よって、結論のとおり審決する。